(57)【要約】【課題】  余分な部品や複雑な構造を追加することなく、ガイド溝部の形状に変更を加えるだけで安価にセンタリング作用の安定性を高めることのできるディスクローディング装置を提供する。【解決手段】  送りローラ２と、送りローラ２によって引き込まれたディスク１００を受け止める初期位置とディスクのチャッキング位置に対応する後退位置との間で往復移動されるディスクアーム４と、ガイド溝部５とを備える。送りローラ２がディスク１００をセンタリングするための機能を備える。ガイド溝部５に、ディスクアーム４の往動方向に向かって溝幅を漸次狭める傾斜壁面５７を具備させる。【選択図】        図１
2007213691.tif 000002
【特許請求の範囲】
【請求項１】
スロットに挿入されたディスクを引き込む正転動作とスロットからディスクを排出する逆転動作とが選択的に制御される送りローラと、この送りローラの正転動作を通じて引き込まれたディスクを受け止める初期位置とディスクのチャッキング位置に対応する後退位置との間で往復移動されるディスクアームと、このディスクアームに具備された係合体を摺動させて当該ディスクアームの往復移動を案内するまっすぐなガイド溝部と、を備え、上記送りローラに、上記ディスクアームに受け止められたディスクをそのディスクアームに押し付けながらその送りローラの軸線方向に移動させるためのセンタリング機能が備わり、上記ディスクアームの初期位置から後退位置への往動が、上記送りローラによって送り力の付与されたディスクの押込み作用を通じて行われるようになっているディスクローディング装置において、
上記送りローラのセンタリング機能は、ディスクを、その中心がガイド溝部の上記主部の中心線の延長線上に位置するように移動させる機能であり、
上記ガイド溝部が、初期位置に位置しているディスクアームの上記係合体との対応箇所に具備されてディスクアームの往動方向に向かって溝幅を漸次狭める傾斜壁面を有する始部とその始部を除く主部とに区画されていて、上記係合体が上記主部の長手方向に長い凸条によって形成され、
上記送りローラによって引き込まれたディスクを初期位置のディスクアームがその偏り箇所で受け止めることによりそのディスクアームが中立姿勢から傾いて上記係合体が上記傾斜壁面に押し付けられるように構成してあると共に、その係合体が上記傾斜壁面に押し付けられてディスクアームの往動が阻止されている間に上記送りローラのセンタリング機能によってディスクの中心が上記主部の中心線の延長線上に位置するようにディスクが移動され、かつ、ディスクの移動によりその中心が上記主部の中心線の延長線上に位置するのに伴って上記ディスクアームが中立姿勢に復帰して上記係合体がガイド溝部の上記主部に臨むように構成されている特徴とするディスクローディング装置。
【請求項２】
スロットに挿入されたディスクを引き込む正転動作とスロットからディスクを排出する逆転動作とが選択的に制御される送りローラと、この送りローラの正転動作を通じて引き込まれたディスクを受け止める初期位置とディスクのチャッキング位置に対応する後退位置との間で往復移動されるディスクアームと、このディスクアームに具備された係合体を摺動させて当該ディスクアームの往復移動を案内するまっすぐなガイド溝部と、を備え、上記送りローラに、上記ディスクアームに受け止められたディスクをそのディスクアームに押し付けながらその送りローラの軸線方向に移動させるためのセンタリング機能が備わり、上記ディスクアームの初期位置から後退位置への往動が、上記送りローラによって送り力の付与されたディスクの押込み作用を通じて行われるようになっているディスクローディング装置において、
上記ガイド溝部に、初期位置に位置しているディスクアームの上記係合体との対応箇所で、ディスクアームの往動方向に向かって溝幅を漸次狭める傾斜壁面を具備させ、上記送りローラによって引き込まれたディスクを初期位置のディスクアームがその偏り箇所で受け止めることによりそのディスクアームが中立姿勢から傾いて上記係合体が上記傾斜壁面に押し付けられるように構成してあることを特徴とするディスクローディング装置。
【請求項３】
上記ガイド溝部が、上記傾斜壁面を備える始部とその始部を除く主部とに区画されていて、上記係合体が、上記主部の長手方向に長い凸条によって形成されている請求項２に記載したディスクローディング装置。
【請求項４】
上記送りローラのセンタリング機能は、ディスクを、その中心がガイド溝部の上記主部の中心線の延長線上に位置するように移動させる機能である請求項２又は請求項３に記載したディスクローディング装置。
【発明の詳細な説明】
【技術分野】
【０００１】
本発明は、ディスクローディング装置、特に、スロットに挿入されたディスクが送りローラのセンタリング作用を受けてチャッキング位置までローディングされるようになっているスロットインタイプのディスクローディング装置に関する。
【背景技術】
【０００２】
図６及び図７にこの種のディスクローディング装置の基本構成の概略を示してあり、図６はディスク１００がスロット１に挿入されているローディング初期段階の概略構成図、図７はディスク１００がローディングされてチャッキング位置に配備されているローディング終了段階の概略構成図である。
【０００３】
このディスクローディング装置では、スロット１の近傍箇所に設置された送りローラ２の正転動作によって、スロット１に挿入されたディスク１００がチャッキング位置まで引き込まれるのに対し、送りローラ２の逆転動作によって、チャッキング位置のディスク１００が送り出されてスロットから排出されるようになっている。また、送りローラ２は、図示のように軸線方向の中央部から離れるほど径大になるような鼓形に形成されていて、ディスク１００の板面に接触して回転することにより、そのディスク１００に送りローラ２の軸線Ｐに直交する引込み排出方向Ａの送り力を付与する作用と共に、そのディスク１００を矢印Ｂのように送りローラ２の軸線方向中央部に向けて移動させるというセンタリング機能を発揮する。
【０００４】
一方、シャーシ３には上記送りローラ２に対応してディスクアーム４が装備されている。このディスクアーム４は、送りローラ２の正転動作を通じてスロット１から引き込まれたディスク１００を受け止める初期位置（図６の位置）とディスク１００のチャッキング位置に対応する後退位置（図７の位置）との間で往復移動され、その往復移動が、シャーシ３に形成されたまっすぐなガイド溝部５によって案内されるようになっている。具体的には、上記ディスクアーム４に一体に具備された細長凸条でなる係合体４１が全有効長部分に亘って一様な溝幅を有する上記ガイド溝部５に摺動自在に嵌合されていて、その係合体４１がガイド溝部５内でそのガイド溝部５の長手方向に摺動することによってディスクアーム４が図６に示した初期位置と図７に示した後退位置との間で往復移動する。
【０００５】
ディスクアーム４と送りローラ２との相互間位置には、シャーシ３にモータ（不図示）を介して取り付けられたターンテーブル６が配備されていることと併せて、このターンテーブル６との対向位置にクランパー（不図示）が配備されていて、上記したチャッキング位置まで引き込まれてきたディスク１００が、それらのターンテーブル６とクランパーとの共働によって適正位置でチャッキングされ、その状態でターンテーブル６がディスクと共に回転駆動される。
【０００６】
また、図示していない連動機構を介し、ターンテーブル６とクランパーとの共働によるディスク１００のチャッキング動作が上記ディスクアーム４の往動動作に連動していると共に、ターンテーブル６とクランパーとの共働によるディスク１００のチャッキング解除動作が上記ディスクアーム４の復動動作に連動している。
【０００７】
すなわち、ディスクローディングモードにおいて、送りローラ２によって引き込まれたディスク１００の押込み作用によってディスクアーム４が図６の初期位置から図７の後退位置に向けて押し込まれている往動工程では、ターンテーブル６とクランパーとがチャッキング解除位置に位置してディスク１００を両者間に受け入れることができるようになっている。そして、ディスク１００がターンテーブル６とクランパーとの間のチャッキング位置まで引き込まれてディスクアーム４が図７の後退位置に到達した時点でターンテーブル６とクランパーとの共働によるチャッキング工程が開始する。そして、そのようなチャッキング工程が開始されるのに伴って、ディスクアーム４がさらに往動方向に後退してディスク１００から離れた位置に退避すると共に、送りローラ２がディスク１００の板面から離れた位置に退避する。これに対し、ディスクアンローディングモードにおいて、ターンテーブル６とクランパーとをチャッキング解除位置に移動させる工程が終了する動作に併せて、送りローラ２がチャッキング位置のディスク１００の板面に当接してそのディスク１００をスロット１から排出する工程と、ディスクアーム４が図７の後退位置を経て図６の初期位置まで復動する工程が行われる。
【０００８】
図８はシャーシ３に対するディスクアーム４の取付構造を概略で示した縦断正面図である。同図のように、ディスクアーム４に具備された上記係合体４１は、大きながたつきを生じないように摺動自在にガイド溝部５に嵌合していると共に、その係合体４１には、ディスクアーム４がシャーシ３から脱落することを防ぐための掛止片４２が備わり、さらに、ディスクアーム４には、一点鎖線で示したディスク１００の外周端面の２箇所を係止してそのディスク１００を受け止めるディスク受部４３が備わっている。なお、図８にはディスクアーム４の幅方向片側１箇所に共用ディスク受部４３が備わり、ディスクアーム４の幅方向他側２箇所に内側ディスク受部４３と外側ディスク受部４３とが備わっている。これは、片側１箇所の共用ディスク受部４３と他側１箇所の内側ディスク受部４３とによって小径ディスク（８ｃｍディスク）を受け止め、片側１箇所の共用ディスク受部４３と他側１箇所の外側ディスク受部４３とによって大径ディスク（１２ｃｍディスク）を受け止めさせることができるようにするためである。したがって、図例のディスクローディング装置では、小径ディスクと大径ディスクとを使い分けることが可能である。
【０００９】
図６及び図７を参照して説明した基本構成を備えて上記した作用を発揮するディスクローディング装置においては、小径ディスクと大径ディスクとを使い分けることが可能であるために、そのスロット１の幅や送りローラ２の長さが大径ディスクに見合う幅や長さに定められている。そのため、特に小径ディスクについては、スロット１への挿入位置がスロット１の中央部に合わされるとは限らず、左右どちらかに偏った位置に挿入されことが多い。
【００１０】
図９及び図１０は、そのように偏った位置に挿入されたディスク（小径ディスク）１００に対して行われるセンタリング作用を説明的に示していて、図９はディスクアーム４とディスク１００との位置関係などを示した説明図、図１０は係合体４１とガイド溝部５との作用状態を示した説明図である。以下、図６〜図１０を参照してそのセンタリング作用を説明する。
【００１１】
スロット１の偏った位置に挿入されたディスク１００は、図６のようにその板面に当接して正転動作する送りローラ２により図９に矢印Ａ１で示した方向に引き込まれてその外周端面が初期位置のディスクアーム４の共用ディスク受部４３だけに突き当たり、他の内側ディスク受部４３には当接しないので、ディスクアーム４の偏り箇所にディスク１００による押込み作用が加えられることになる。そのため、ディスクアーム４に、ガイド溝部５に嵌合している係合体４１を支点とする回転モーメント（図９矢印Ｍ）が発生し、図１０に示したように、係合体４１の一端がガイド溝部５の片側壁面５１に矢印Ｍ１のように押し付けられ、係合体４１の他端がガイド溝部５の他側壁面５２に矢印Ｍ２のように押し付けられて、ガイド溝部５に対する係合体４１の摺動抵抗が増大する。この結果、送りローラ２による引込み作用を受けているディスク１００とディスクアーム４とが押し合いながらディスクアーム４が往動し、その往動工程中の送りローラ２のセンタリング機能により、ディスク１００が、図９に矢印Ｂ１で示したセンタリング方向に向けて移動する。そして、このようなセンタリング作用によってディスク１００の中心がガイド溝部５の中心線の延長線Ｃ上に位置すると、上記した回転モーメントが消失して送りローラ２のセンタリング機能が発揮されなくなる。このことから、ディスクアーム４の往動工程中にディスク１００とディスクアーム４との押合いが生じて送りローラ２のセンタリング機能が正常に発揮された場合に限り、ディスク１００が図７に示したチャッキング位置に正確に引き込まれることになる。
【００１２】
一方、スロットインタイプの光ディスクプレーヤにおいて、プレーヤの入口に挿入される光ディスクがプレーヤの入口のセンターに正確に挿入されるようにするために、ローディング部の一部に別途のガイド手段を設けることが提案されている（たとえば、特許文献１参照）。また、スロットイン型の光ディスク装置において、搬送部に一対のアームを回動自在に設けておき、偏って挿入された光ディスクの位置をそれらのアームの作用によって修正する技術も提案されている（たとえば、特許文献２参照）。さらに、光ディスクのローディング機構において、ディスクをテーパ状の軸に当接させてその位置を修正する技術も提案されている（たとえば、特許文献３参照）。
【特許文献１】特開２００５−３３２５５０号公報
【特許文献２】特開２００３−４５１１０号公報
【特許文献３】特開平８−７４３３号公報
【発明の開示】
【発明が解決しようとする課題】
【００１３】
ところで、図６〜図１０を参照して説明したディスクローディング装置によると、上記したように、ディスクアーム４の往動工程中にディスク１００とディスクアーム４との押合いが生じて送りローラ２のセンタリング機能が正常に発揮された場合に限り、ディスク１００が図７に示したチャッキング位置に正確に引き込まれる。
【００１４】
しかしながら、このディスクローディング装置において、ディスクアーム４の往動工程中に生じるディスク１００とディスクアーム４との押合いは、全有効長部分に亘って一様な溝幅を有するガイド溝部５の壁面５１，５２に、細長凸条でなる係合体４１が押し付けられることによって増大する摺動抵抗に依存して発生するので、係合体４１が摩耗しているような状態ではその押合い状態が正常に発生しなくなることがある。また、何らかの原因でその押合い状態が正常に発生しなくなることもある。このため、送りローラ２がセンタリング機能を有しているとしても、そのセンタリング作用の安定性が損なわれてディスクが正確にチャッキング位置にローディングされなくなることがあるという問題があった。特に、大径ディスクと小径ディスクとを使い分けることのできる上記ディスクローディング装置では、正常なセンタリングのための小径ディスクの移動量が大径ディスクのそれに比べて大きくなるために、小径ディスクが使用される場合に上記問題の起こるおそれが多かった。
【００１５】
一方、上掲の特許文献１〜３によって提案されている技術は、いずれも部品を余分に付加したり複雑の構造を追加したりしているため、安価にセンタリング動作の安定性を高め得るものではない。
【００１６】
本発明は以上の問題や状況に鑑みてなされたものであり、図６及び図７を参照して説明したディスクローディング装置の基本構造をそのまま用いた上で、余分な部品や複雑な構造を追加することなく、そのガイド溝部の形状に変更を加えるだけで安価にセンタリング作用の安定性を高めることのできるディスクローディング装置を提供することを目的とする。
【課題を解決するための手段】
【００１７】
本発明に係るディスクローディング装置は、スロットに挿入されたディスクを引き込む正転動作とスロットからディスクを排出する逆転動作とが選択的に制御される送りローラと、この送りローラの正転動作を通じて引き込まれたディスクを受け止める初期位置とディスクのチャッキング位置に対応する後退位置との間で往復移動されるディスクアームと、このディスクアームに具備された係合体を摺動させて当該ディスクアームの往復移動を案内するまっすぐなガイド溝部と、を備えている。また、上記送りローラに、上記ディスクアームに受け止められたディスクをそのディスクアームに押し付けながらその送りローラの軸線方向に移動させるためのセンタリング機能が備わり、上記ディスクアームの初期位置から後退位置への往動が、上記送りローラによって送り力の付与されたディスクの押込み作用を通じて行われるようになっている。
【００１８】
そして、上記ガイド溝部に、初期位置に位置しているディスクアームの上記係合体との対応箇所で、ディスクアームの往動方向に向かって溝幅を漸次狭める傾斜壁面を具備させ、上記送りローラによって引き込まれたディスクを初期位置のディスクアームがその偏り箇所で受け止めることによりそのディスクアームが中立姿勢から傾いて上記係合体が上記傾斜壁面に押し付けられるように構成してある。
【００１９】
この構成を備えるディスクローディング装置によると、スロットに挿入されたディスクが送りローラの正転動作を通じて引き込まれて初期位置のディスクアームの偏り箇所で受け止められると、送りローラによる引込み作用によってディスクがディスクアームの偏り箇所を押し付けてそのディスクアームに係合体を支点とする回転モーメントを発生させる。このため、ディスクアームが中立姿勢から傾いて係合体がガイド溝部の傾斜壁面に押し付けられる。こうして係合体がガイド溝部の傾斜壁面に押し付けられていると、送りローラによる引込み作用によってディスクがディスクアームを往動方向に押し付けているとしても、係合体がガイド溝部の傾斜壁面に係止されたままになってディスクアームが往動しなくなるか、あるいは、係合体に発生する摺動抵抗が顕著に増大する。その結果、送りローラによって引込み方向の力を受けているディスクとディスクアームとの押合い状態が正常に発揮されて送りローラによるセンタリング機能も正常にかつ安定して発揮されるようになる。一方、送りローラのセンタリング機能によりディスクがセンタリングされると、ディスクアームが中立姿勢に復帰すると共にガイド溝部の傾斜壁面から係合体が離れるので、送りローラによって送り力の付与されたディスクの押込み作用を通じてディスクアームが往動を開始し、ディスクがチャッキング位置に正確に引き込まれることになる。
【００２０】
本発明では、上記ガイド溝部が、上記傾斜壁面を備える始部とその始部を除く主部とに区画されていて、上記係合体が、上記主部の長手方向に長い凸条によって形成されているという構成を採用することができ、これによれば、図６及び図７を参照して説明したディスクローディング装置のガイド溝の形状に変更を加えるだけでセンタリング作用の安定性が高まるようになる。
【００２１】
本発明において、上記送りローラのセンタリング機能は、ディスクを、その中心がガイド溝部の上記主部の中心線の延長線上に位置するように移動させる機能であることが望ましい。これによると、図６及び図７を参照して説明したディスクローディング装置のターンテーブル６の位置を変更することなく、ディスクをそのチャッキング位置に正確に引き込むことが可能になる。
【００２２】
本発明に係るディスクローディング装置は、次の構成を採用することによっていっそう具体化される。すなわち、スロットからディスクを引き込む正転動作とスロットからディスクを排出する逆転動作とが選択的に制御される送りローラと、この送りローラの正転動作を通じてスロットから引き込まれたディスクを受け止める初期位置とディスクのチャッキング位置に対応する後退位置との間で往復移動されるディスクアームと、このディスクアームに具備された係合体を摺動させて当該ディスクアームの往復移動を案内するまっすぐなガイド溝部と、を備え、上記送りローラに、上記ディスクアームに受け止められたディスクをそのディスクアームに押し付けながらその送りローラの軸線方向に移動させるためのセンタリング機能が備わり、上記ディスクアームの初期位置から後退位置への往動が、上記送りローラによって送り力の付与されたディスクの押込み作用を通じて行われるようになっているディスクローディング装置において、上記送りローラのセンタリング機能は、ディスクを、その中心がガイド溝部の上記主部の中心線の延長線上に位置するように移動させる機能であり、上記ガイド溝部が、初期位置に位置しているディスクアームの上記係合体との対応箇所に具備されてディスクアームの往動方向に向かって溝幅を漸次狭める傾斜壁面を有する始部とその始部を除く主部とに区画されていて、上記係合体が上記主部の長手方向に長い凸条によって形成され、上記送りローラによって引き込まれたディスクを初期位置のディスクアームがその偏り箇所で受け止めることによりそのディスクアームが中立姿勢から傾いて上記係合体が上記傾斜壁面に押し付けられるように構成してあると共に、その係合体が上記傾斜壁面に押し付けられてディスクアームの往動が阻止されている間に上記送りローラのセンタリング機能によってディスクの中心が上記主部の中心線の延長線上に位置するようにディスクが移動され、かつ、ディスクの移動によりその中心が上記主部の中心線の延長線上に位置するのに伴って上記ディスクアームが中立姿勢に復帰して上記係合体がガイド溝部の上記主部に臨むように構成されている、という構成を採用することによっていっそう具体化される。この発明の作用などは後述する実施形態を参照して詳細に説明する。
【発明の効果】
【００２３】
以上のように、本発明によれば、図６及び図７を参照して説明したディスクローディング装置の基本構造をそのまま用いた上で、余分な部品や複雑な構造を追加することなく、そのガイド溝部の形状に変更を加えるだけで安価にセンタリング作用の安定性が高まる。そのため、大径ディスクと小径ディスクとを使い分けることのできるディスクローディング装置のローディング性能、ひいては、ローディング後のチャッキング動作の安定性が向上する。したがって、このディスクローディング装置をたとえばＤＶＤプレーヤやＤＶＤレコーダなどに採用することにより、ユーザは安定した画像を楽しむことができ、不完全なローディングが行われてディスクを傷めるという心配もなくなる。
【発明を実施するための最良の形態】
【００２４】
図１は本発明の実施形態に係るディスクローディング装置でのローディング初期段階の概略構成図、図２はディスク１００が初期位置のディスクアーム４に受け止められている状態を示した説明図、図３は図２の要部を拡大した説明図、図４はディスクが正常にセンタリングされている状態を示した説明図、図５は図４の要部を拡大した説明図である。
【００２５】
図１に示したディスクローディング装置は、その基本構成が図６などを参照して説明したディスクローディング装置と同様になっている。すなわち、このディスクローディング装置には、スロット１の近傍箇所に設置された送りローラ２の正転動作によってディスク１００がチャッキング位置に引き込まれ、送りローラ２の逆転動作によってチャッキング位置のディスク１００が送り出されてスロットから排出される。Ａは引込み排出方向を示している。また、送りローラ２は、その軸線方向の中央部から離れるほど径大になるような鼓形に形成されていて、ディスク１００の板面に接触して回転することによりそのディスク１００をセンタリング方向である軸線方向中央部に向けて移動させるというセンタリング機能を発揮する。さらに、シャーシ３にディスクアーム４が装備され、このディスクアーム４が初期位置（図１又は図６の位置）とディスク１００のチャッキング位置に対応する後退位置（図７参照）との間で往復移動され、その往復移動が、シャーシ３に形成されたまっすぐなガイド溝部５でディスクアーム４の係合体４１が摺動することによって案内される。
【００２６】
そのほか、ディスクアーム４と送りローラ２との相互間位置にターンテーブル６が配備されていることと併せて、このターンテーブル６との対向位置にクランパー（不図示）が配備され、チャッキング位置まで引き込まれてきたディスク１００が、そのターンテーブル６とクランパー（不図示）との共働によって適正位置でチャッキングされ、その状態でターンテーブル６がディスクと共に回転駆動される。また、図示していない連動機構を介し、ターンテーブル６とクランパーとの共働によるディスク１００のチャッキング動作が上記ディスクアーム４の往動動作に連動し、ターンテーブル６とクランパーとの共働によるディスク１００のチャッキング解除動作が上記ディスクアーム４の復動動作に連動している。
【００２７】
この実施形態では、ガイド溝部５が、ディスクアーム４の往動方向（送りローラ２によるディスク１００の引込み方向に一致する）に向かって溝幅を漸次狭める左右対称の傾斜壁面を備える始部５６とその始部５５を除く主部５５とに区画されているという点と、ディスクアーム４が図１に示した初期位置に位置しているときに、係合体４１がガイド溝部５の始部５６に位置しているという点とが、図６又は図７を参照して説明したディスクローディング装置と異なっているだけであり、その他の構成は図６又は図７を参照して説明したディスクローディング装置と同様である。したがって、同一又は相応する部分に同一符号を付してある。
【００２８】
次に、図１〜図５を参照してこのディスクローディング装置の作用を説明する。スロット１に挿入されたディスク１００の板面が送りローラ２に当接すると、そのディスク１００が送りローラ２の正転動作を通じて引き込まれ、図１に示した初期位置で中立姿勢を保持しているディスクアーム４の片側の共用ディスク受部４３だけに係合して受け止められる。そのため、送りローラ２による引込み作用でディスク１００がディスクアーム４の偏り箇所を押し付け、そのようなディスク１００の押込み作用によって、ディスクアーム４が係合体４１を支点とする回転モーメント（図２矢印Ｍ）を受け、そのディスクアーム４が図２のように中立姿勢から傾き、それに伴って係合体４１が図３に示したガイド溝部５の傾斜壁面５７，５７に矢印Ｍ１，Ｍ２のように押し付けられる。
【００２９】
こうして係合体４１がガイド溝部５の傾斜壁面５７，５７に押し付けられていると、送りローラ２による引込み作用によってディスク１００がディスクアーム４を往動方向（図２に矢印Ａ１で示したディスク引込み方向）に押し付けているとしても、係合体４１が傾斜壁面５７，５７に係止されたままになってディスクアーム４が往動しなくなるか、あるいは、係合体４１に発生する摺動抵抗が顕著に増大する。
【００３０】
この状態では、送りローラ２によって引込み方向の力を受けているディスク１００とディスクアーム４との押合い状態が正常に発揮されて送りローラ２によるセンタリング機能も正常にかつ安定して発揮される。したがって、ディスク１００が送りローラ２によるセンタリング機能によって図２に矢印Ｂ１で示したセンタリング方向に移動する。このようなセンタリング作用によってディスク１００の中心がガイド溝部５の主部５５中心線の延長線Ｃに近付くのに伴って係合体４１が傾斜壁面５７，５７を摺動し、その後、ディスク１００の中心が図４のようにガイド溝部５の主部５５中心線の延長線Ｃ上に位置すると、と、ディスクアーム４が初期位置に位置したまま中立位置に復帰し、上記した回転モーメントが消失して送りローラ２のセンタリング機能が発揮されなくなると共に、図４及び図５のように、係合体４１がガイド溝部５の主部５５に臨む。このため、送りローラ２によって引き込まれているディスク１００の外周端面が片側の共用ディスク受部４３と他側の内側ディスク受部４３とに当接し、そのディスク１００押込み作用によってディスクアーム４が往動方向に押されて係合体４１がガイド溝部５の主部５５に進入する。この結果、ディスク１００がディスクアーム４を押込みながらチャッキング位置に正確に引き込まれる。
【００３１】
この実施形態において、ガイド溝部５の始部５６に対称に備わっている左右の傾斜壁面５７，５７の開き角度を大きくすると、係合体４１がそれらの傾斜壁面５７，５７に係合しやすくなるので、ディスク１００とディスクアーム４との押合い状態がそれだけ安定して行われる。また、左右の傾斜壁面５７，５７の開き角度を小さくしていくと、それに見合って係合体４１が傾斜壁面５７，５７と摺動しやすくなるけれども、そのように係合体４１が傾斜壁面５７，５７と摺動しやすくなるとしても、係合体４２が傾斜壁面５７，５７を摺動してガイド溝部５の主部５５に進入してしまうという事態は起こり得ない。そのため、ただ単に、ガイド溝部５の始部５６に傾斜壁面５７，５７を具備させるという構成を採用するだけで、ディスク１００とディスクアーム４との押合い状態の安定性が確保されることになり、そのことが、センタリング作用の安定化を高めることに役立つだけでなく、ディスクローディング装置の量産化を促進することにも役立つ。
【図面の簡単な説明】
【００３２】
【図１】本発明の実施形態に係るディスクローディング装置でのローディング初期段階の概略構成図である。
【図２】ディスクが初期位置のディスクアームに受け止められている状態を示した説明図である。
【図３】図２の要部を拡大した説明図である。
【図４】ディスクが正常にセンタリングされている状態を示した説明図である。
【図５】図４の要部を拡大した説明図である。
【図６】従来例でのローディング初期段階の概略構成図である。
【図７】従来例でのローディング終了段階の概略構成図である。
【図８】シャーシに対するディスクアームの取付構造を概略で示した縦断正面図である。
【図９】従来例でのディスクアームとディスクとの位置関係などを示した説明図である。
【図１０】従来例での係合体とガイド溝部との作用状態を示した説明図である。
【符号の説明】
【００３３】
１  スロット
２  送りローラ
４  ディスクアーム
５  ガイド溝部
４１  係合体
５５  主部
５６  始部
５７  傾斜壁面
１００  ディスク
Ｃ  ガイド溝部の主部の中心線の延長線
【図１】
2007213691.tif 000003
【図２】
2007213691.tif 000004
【図３】
2007213691.tif 000005
【図４】
2007213691.tif 000006
【図５】
2007213691.tif 000007
【図６】
2007213691.tif 000008
【図７】
2007213691.tif 000009
【図８】
2007213691.tif 000010
【図９】
2007213691.tif 000011
【図１０】
2007213691.tif 000012